(57)【要約】【課題】本発明は、安全性の優れた光照射装置及び光照射方法を提案する。【解決手段】本発明は、装着者の視線方向を検出するための電極１４、１５及び該装着者の視界に対して光を照射するＬＥＤ１７Ａ〜１７Ｒが設けられ、電極１４、１５と基準電極１６との電位差から装着者の視線方向を検出し、該視線方向に対応する領域の光量を制限することにより、高照度の光をユーザの眼に照射しながらも視線方向に対する光量を制限するので、生体リズムを調整するための光を確実にユーザの眼に照射しながらも眼に対する負担や健康を害する恐れを軽減することができる。【選択図】図９
2011215306.tif 000002
【特許請求の範囲】
【請求項１】
ユーザの眼に光を照射する光源部と、
上記ユーザの視線方向を検出する視線検出部と、
上記視線検出部に検出された視線方向に対応する領域の光量を制限するように上記光源から照射する光を制御する光源制御部と
を有する光照射装置。
【請求項２】
ユーザの目周辺に上下方向及び左右方向の異なる位置に配される２つの電極と、
基準とされる電位を測定する基準電極と
をさらに具え、
上記視線検出部は、
上記電極と上記基準電極との電位差から上記ユーザの視線方向を検出する
請求項１に記載の光照射装置。
【請求項３】
上記視線検出部は、
上記電位差とユーザの視線が移動しているとされる閾値とを比較することにより上記ユーザの視線の移動を検出し、
上記光源制御部は、
上記視線検出部により上記ユーザの視線の移動が検出された場合、上記光源部から光を照射しないよう制御する
請求項２に記載の光照射装置。
【請求項４】
上記電極は、ユーザの眼周辺に上下方向及び左右方向が異なる位置に配される
請求項２に記載の光照射装置。
【請求項５】
上記光源部は、
上記ユーザの視界とされる領域が複数に分割された小領域に対して光をそれぞれ照射する複数の光源からなる
請求項１に記載の光照射装置。
【請求項６】
ユーザの視線方向を検出する視線検出ステップと、
上記視線検出部に検出された視線方向に対応する領域の光量を制限するように、上記ユーザの目に光を照射する光源部を制御する光源制御ステップと
を有する光照射方法。
【発明の詳細な説明】
【技術分野】
【０００１】
本発明は光照射装置及び光照射方法に関し、例えば時差ぼけを解消させるために使用される場合に適用して好適なものである。
【背景技術】
【０００２】
通常４〜５時間以上の時差がある地域にジェット機などで移動した場合、一過性の心身不調和の状態、いわゆる時差ぼけを生じることがある。時差ぼけを生じた場合、不眠、眠気、疲労感、食欲不振などの症状になる。
【０００３】
また睡眠障害、うつ病、アルツハイマー病などの患者のなかには、生体リズムが崩れている、すなわち広義に定義される時差ぼけの症状を生じている場合がある。これらの時差ぼけは、生体リズムを整えることにより改善されることが知られている。
【０００４】
ところで、人の体内時計の周期は２５時間程度といわれており、地球の周期である２４時間に対して１時間程度のずれが生じているが、例えば太陽の光など高照度の光を浴びることにより、このずれをリセットして一日の体内時計を２４時間に同調させることができる。
【０００５】
このように高照度の光を照射されると人は生体リズムが調整される。そこで、生体リズムを整える方法として、太陽光に近い高照度の光を照射する光照射装置を用いて、被治療者における生体リズムの異常に応じた時刻及び照射時間で光を被治療者に照射する光療法が用いられる。
【０００６】
光治療に用いられる光照射装置の中には、小型化の観点を鑑みて、光を照射する照射部をヘッドバンドで装着者の眼前に固定するようになされたもの（例えば、特許文献１参照）や、メガネのレンズフレームに光源を設けたもの（例えば、特許文献２参照）などが提案されている。
【先行技術文献】
【特許文献】
【０００７】
【特許文献１】特開平９−２１３１０１号公報
【特許文献２】特開２００２−３５０７９０公報
【発明の概要】
【発明が解決しようとする課題】
【０００８】
ところで上述した光照射装置では、光源から出射された光を直接又は間接的に装着者の眼全体に均一な光として照射する。
【０００９】
従って、このような光照射装置では、装着者の視野内における視線方向に対しても高照度の光を照射することになり、該高照度の光を直視することにより装着者の眼に負担を与えたり、眼の健康を害する恐れがある。
【００１０】
本発明は以上の点を考慮してなされたもので、安全性の優れた光照射装置及び光照射方法を提案しようとするものである。
【課題を解決するための手段】
【００１１】
かかる課題を解決するため本発明においては、光照射装置であって、ユーザの眼に光を照射する光源部と、ユーザの視線方向を検出する視線検出部と、視線検出部に検出された視線方向に対応する領域の光量を制限するように光源から照射する光を制御する光源制御部とを有する。
【００１２】
また本発明においては、光照射方法であって、ユーザの視線方向を検出する視線検出ステップと、視線検出部に検出された視線方向に対応する領域の光量を制限するように、ユーザの目に光を照射する光源部を制御する光源制御ステップとを有する。
【００１３】
これにより、高照度の光をユーザの眼に照射しながらも視線方向に対する光量を制限するので、生体リズムを調整するための光を確実にユーザの眼に照射しながらも眼に対する負担や健康を害する恐れを軽減することができる。
【発明の効果】
【００１４】
以上のように本発明によれば、高照度の光をユーザの眼に照射しながらも視線方向に対する光量を制限するので、生体リズムを調整するための光を確実にユーザの眼に照射しながらも眼に対する負担や健康を害する恐れを軽減することができ、かくして安全性の優れた光照射装置及び光照射方法を実現できる。
【図面の簡単な説明】
【００１５】
【図１】光照射装置の外観構成を示す概略図である。
【図２】ＬＥＤの照射領域を示す概略図である。
【図３】視界全体に対する照射領域を示す概略図である。
【図４】光照射装置の回路構成を示す概略図である。
【図５】ＬＥＤの光量制御を示す概略図である。
【図６】マイクロコントローラの機能的構成を示す概略図である。
【図７】視線方向による電位差の変化を示す概略図である。
【図８】視線方向に対する光量制限の割合を示す概略図である。
【図９】光照射処理手順を示すフローチャートである。
【図１０】他の実施の形態における光照射装置（１）を示す概略図である。
【図１１】他の実施の形態における光照射装置（２）を示す概略図である。
【発明を実施するための形態】
【００１６】
以下、発明を実施するための形態について説明する。なお、説明は以下の順序とする。
＜１．実施の形態＞
＜２．他の実施の形態＞
【００１７】
＜１．実施の形態＞
［１−１．光照射装置の外観構成］
図１において、本一実施の形態によるゴーグル型の光照射装置１を示す。光照射装置１は、図１（Ａ）及ぶ（Ｂ）に示したように、光を装着者の眼に対して照射する光照射部２と、該光照射部２の両側に該照射部２を支持する支持部３Ａ及び３Ｂが設けられる。
【００１８】
支持部３Ａ及び３Ｂは、その一端が光照射部２の両端にそれぞれ連結され、他端側が装着者の耳に掛かるように該耳の付け根の形状に沿って曲げられた形状とされる。
【００１９】
光照射部２には、内部に空間が形成されるよう所定幅を有し、装着者の両眼がその内側に入る程度の大きさに形成されたフレーム１１が設けられる。フレーム１１は、装着者に光照射装置１が装着された際に該装着者と対向する所定幅の当接部１１Ａが設けられており、断面が略Ｌ字型に形成される。
【００２０】
またフレーム１１は、その中央下方部分が装着者の鼻の形状に合わせるように湾曲されて装着時にその部分が装着者の鼻にかかることにより光照射部２が係止される係止部１１Ｂが形成される。
【００２１】
光照射部２は、図１（Ｃ）に示したように、フレーム１１における当接部１１Ａとは反対側（前方側）の内周面に光を反射する反射板１２が嵌合されている。
【００２２】
また光照射部２は、反射板１２より当接部１１Ａ側（後方側）に反射板１２と略平行にフレーム１１の内周面に嵌合され、入射された光を均一な光に拡散する拡散板１３が設けられる。
【００２３】
フレーム１１の当接部１１Ａにおける装着者の顔に当接する面（以下、これを当接面とも呼ぶ）１１Ｃには、左上部分に電極１４が取り付けられており、右下部分に電極１５が取り付けられる。電極１４及び１５は、例えば金属材の導電体でなり、光照射装置１が装着された際に装着者の左眼の左上部分（大よそ左眉毛の眉尻周辺）及び右眼の右下部分（大よそ右目尻下方）に当接される。
【００２４】
また支持部３Ａの他端側における光照射装置１が装着された際に耳の付け根に当接される面側に金属材の導電体でなる基準電極１６が取り付けられており、光照射装置１が装着された際に基準電極１６が装着者の耳付け根付近に当接される。
【００２５】
フレーム１１の当接部１１Ａにおける当接面１１Ｃとは反対側の面（以下、これを光源配置面とも呼ぶ）１１Ｄには、左右それぞれに９つのＬＥＤ１７Ａ〜１７Ｉ及びＬＥＤ１７Ｊ〜１７Ｒが取り付けられる。
【００２６】
具体的に、ＬＥＤ１７Ａ〜１７Ｃが光源配置面１１Ｄにおける左上側に並ぶようにして配置される。またＬＥＤ１７Ｄ〜１７Ｆ及びＬＥＤ１７Ｇ〜１７Ｉは、上下２列に並ぶようにして光源配置面１１Ｄにおける左下側に配置される。
【００２７】
ＬＥＤ１７Ａ〜１７Ｃは、図２（Ａ）及び（Ｂ）に示すように、拡散板１３における左側半分の所定範囲の領域（以下、これを左照射領域とも呼ぶ）ＬＩＡにおける左上の領域ＬＬＵ、上中央の領域ＬＣＵ及び右上の領域ＬＲＵに光を照射する。
【００２８】
ＬＥＤ１７Ｄ〜１７Ｆは、左照射領域ＬＩＡにおける左中央の領域ＬＬＣ、正面（中央）の領域ＬＣＣ及び右中央の領域ＬＲＣに光を照射する。ＬＥＤ１７Ｇ〜１７Ｉは、左照射領域ＬＩＡにおける左下の領域ＬＬＤ、下中央の領域ＬＣＤ及び右下の領域ＬＲＤに光を照射する。
【００２９】
ＬＥＤ１７Ａ〜１７Ｉは、領域ＬＬＵ、ＬＣＵ、ＬＲＵ、ＬＬＣ、ＬＣＣ、ＬＲＣ、ＬＬＤ、ＬＣＤ及びＬＲＤがそれぞれ左照射領域ＬＩＡの約１／９に相当する面積となるように拡散板１３に光を照射するようになされている。従って左照射領域ＬＩＡは、ＬＥＤ１７Ａ〜１７Ｉから出射された光が拡散板１３により拡散されて装着者の左眼に光を照射し得る領域である。
【００３０】
一方、ＬＥＤ１７Ｊ〜１７Ｌは、光源配置面１１Ｄにおける右上側に並ぶようにして配置される。またＬＥＤ１７Ｍ〜１７Ｏ及びＬＥＤ１７Ｐ〜１７Ｒは、上下２列に並ぶようにして光源配置面１１Ｄにおける右下側に配置される。
【００３１】
ＬＥＤ１７Ｊ〜１７Ｌは、拡散板１３における右側半分の所定範囲の領域（以下、これを右照射領域とも呼ぶ）ＲＩＡにおける左上の領域ＲＬＵ、上中央の領域ＲＣＵ及び右上の領域ＲＲＵに光を照射する。
【００３２】
ＬＥＤ１７Ｍ〜１７Ｏは、右照射領域ＲＩＡにおける左中央の領域ＲＬＣ、正面の領域ＲＣＣ及び右中央の領域ＲＲＣに光を照射する。ＬＥＤ１７Ｐ〜１７Ｒは、右照射領域ＲＩＡにおける左下の領域ＲＬＤ、下中央の領域ＲＣＤ及び右下の領域ＲＲＤに光を照射する。
【００３３】
ＬＥＤ１７Ｊ〜１７Ｒは、領域ＲＬＵ、ＲＣＵ、ＲＲＵ、ＲＬＣ、ＲＣＣ、ＲＲＣ、ＲＬＤ、ＲＣＤ及びＲＲＤがそれぞれ右照射領域ＲＩＡの約１／９に相当する面積となるように拡散板１３に光を照射するようになされている。従って右照射領域ＲＩＡは、ＬＥＤ１７Ｊ〜１７Ｒから出射された光が拡散板１３により拡散されて装着者の右眼に光を照射し得る領域である。
【００３４】
因みに、左照射領域ＬＩＡと右照射領域ＲＩＡとを特に区別せずに説明する場合、単に照射領域ＩＡとも呼ぶ。また領域ＬＬＵと領域ＲＬＵとを特に区別せずに説明する場合、単に領域ＬＵと呼ぶ。同様に、領域ＬＣＵと領域ＲＣＵ、領域ＬＲＵと領域ＲＲＵ、領域ＬＬＣと領域ＲＬＣ、領域ＬＣＣと領域ＲＣＣ、領域ＬＲＣと領域ＲＲＣ、領域ＬＬＤと領域ＲＬＤ、領域ＬＣＤと領域ＲＣＤ、領域ＬＲＤと領域ＲＲＤを特に区別せずに説明する場合、単に領域ＣＵ、領域ＲＵ、領域ＬＣ、領域ＣＣ、領域ＲＣ、領域ＬＤ、領域ＣＤ、領域ＲＤとも呼ぶ。
【００３５】
光照射装置１は、図３に示すように、光照射装置１を装着した装着者の視界全体ＳＡがほぼカバーされるようになされた照射領域ＩＡに対してＬＥＤ１７Ａ〜１７Ｒから光を照射するようになされている。
【００３６】
ところでＬＥＤ１７Ａ〜１７Ｒは、マイクロコントローラ２１（図４）の制御に基づいて電力供給部（図示せず）からの電力供給を受けて光を出射するようになされている。
【００３７】
なおＬＥＤ１７Ａ〜１７Ｒは、拡散板１３により拡散されて装着者の眼に照射される光が生体リズムを調整するために十分である高照度の光を出射し得るものである。
【００３８】
また光照射部２には、所定の位置にユーザの操作入力を受け付ける操作子等でなる操作入力部２４（図４）が設けられている。
【００３９】
［１−２．光照射装置の回路構成］
次に光照射装置１の回路構成について説明する。光照射装置１は、図４に示すように、電力供給部からの電力供給を受けて各部が動作し、マイクロコントローラ２１が全体を統括制御するようになされている。因みに、マイクロコントローラ２１及び電力供給部は光照射装置１の内部に設けられる。
【００４０】
マイクロコントローラ２１は、ＣＰＵ(Central Processing Unit)、ＲＯＭ(Read Only Memory)、ＣＰＵのワークメモリとなるＲＡＭ(Random Access Memory)、タイマー及び演算回路などを含むコンピュータとされる。
【００４１】
アンプ２２Ａは、電極１４と基準電極１６との電位差を左電位差として増幅し、該左電位差をマイクロコントローラ２１に与える。アンプ２２Ｂは、電極１５と基準電極１６との電位差を右電位差として増幅し、該右電位差をマイクロコントローラ２１に与える。
【００４２】
操作入力部２４は、操作子に対する操作入力に応じて、光の照射を開始する時刻及び光の照射を終了する時刻が示されたデータ（以下、これを照射時刻データとも呼ぶ）をマイクロコントローラ２１に与える。
【００４３】
マイクロコントローラ２１は、詳しくは後述するように、取得した左電位差及び右電位差に基づいてＬＥＤ１７Ａ〜１７Ｒを所定の光量で発光させるための制御信号をそれぞれアンプ２３Ａ〜２３Ｒを介してＬＥＤ１７Ａ〜ＬＥＤ１７Ｒに供給する。
【００４４】
ここでＬＥＤ１７Ａ〜１７Ｒは、図５に示すように、例えば数１０［ｋＨｚ］以上の周波数のパルス信号が供給される場合、１周期における電圧が供給されている時間Ｔonと電圧が供給されていない時刻Ｔoffとの比に応じて光量が決まる。
【００４５】
従ってマイクロコントローラ２１は、数１０［ｋＨｚ］以上の周波数のパルス信号でなる制御信号をＬＥＤ１７Ａ〜１７Ｒに供給することにより、該ＬＥＤ１７Ａ〜１７Ｒがそれぞれ発光する光量を制御し得るようになされている。
【００４６】
［１−３．光照射処理］
マイクロコントローラ２１は、ＬＥＤ１７Ａ〜１７Ｒから出射する光量を制御するプログラム（以下、これを光照射プログラムとも呼ぶ）がＲＯＭに格納されている。マイクロコントローラ２１は、光照射プログラムを実行する指示を受けた場合、該光照射プログラムをＲＡＭに展開して光照射処理を実行する。
【００４７】
マイクロコントローラ２１は、図６に示すように、光照射処理を実行する際、視線検出部３１、光源制御部３２、記憶部３３及び時計部３４として機能する。
【００４８】
視線検出部３１は、操作入力部２４を介して入力されて記憶部３３に記憶された照射時刻データ３３Ａを読み出す。視線検出部３１は、時計部３４から所定間隔ごとに供給される時刻が照射時刻データ３３Ａに示された照射開始時刻になった時点から、アンプ２２Ａ及び２２Ｂから左電位差及び右電位差を所定間隔（例えば数１０ｋＨｚ）ごとに取得して装着者の視線を検出する。
【００４９】
ここで、左耳の耳朶に基準電極を配置し、左眼の左上及び右眼の右下に電極を配置し、様々な方向に視線を移動させた際の、各電極と基準電極との電位差、及び電極間の電位差を測定した実験結果を図７に示す。なお図７において、左眼の左上に配置された電極を左検出電極とも呼び、右眼の右下に配置された電極を右検出電極とも呼ぶ。
【００５０】
この測定では、視線を正面から左上、右下、上中央、下中央、右上、左下、右中央、左中央、正面の順に移動させ、それぞれの位置で所定時間だけ視線を停止させる。このとき、図７に示したように、それぞれの方向で視線が停止している際、左検出電極と基準電極との電位差、右検出電極と基準電極との電位差、及び左検出電極と右検出電極との電位差は、視線を停止させている方向によって符号及び大きさが異なる。
【００５１】
すなわち、少なくとも左検出電極と基準電極との電位差、右検出電極と基準電極との電位差を測定することにより、それぞれの電位差の符号及び大きさに基づいて視線方向を検出することができる。
【００５２】
なお図７において視線を移動させている際にそれぞれの電位差が大きく変化しているのは、視線を移動させているときの筋電位が測定されるためである。ここで筋電位は眼電位に対して約１０００倍の大きさであるため、筋電位と眼電位とは容易に区別がつくものである。
【００５３】
そこで視線検出部３１は、アンプ２２Ａ及び２２Ｂから左電位差及び右電位差を所定間隔ごとに取得し、該左電位差及び右電位差が筋電位とされる閾値以上の値であった場合、筋電位が測定されており視線が移動していると判断する。
【００５４】
視線検出部３１は、左電位差及び右電位差が閾値未満であった場合、左電位差及び右電位差が、例えば９種類の視線方向を検出するために設定された３段階の大きさである「大」、「中」及び「小」のいずれであるかをそれぞれ判断する。因みに９方向とは、「正面」、「上中央」、「下中央」、「右中央」、「左中央」、「右上」、「右下」、「左上」、「左下」である。
【００５５】
そして視線検出部３１は、左電位差及び右電位差の符号及び大きさと、図７に示したような９方向の視線方向での符号及び大きさを示したテーブルとを比較して装着者の視線方向を検出する。
【００５６】
視線検出部３１は、検出した視線方向又は視線が移動していることを示すデータ（以下、これを視線データとも呼ぶ）を検出するたびに光源制御部３２に送出する。
【００５７】
光源制御部３２は、視線データを取得すると、該視線データに示された視線方向に応じた照射パターンが示されたデータ（以下、これを照射パターンデータとも呼ぶ）３３Ｂを記憶部３３から読み出す。
【００５８】
ここで記憶部３３には、９種類の視線方向にそれぞれ応じた照射パターンが記憶されている。具体的には、視線方向が「正面」である場合の照射パターンは、図８（Ａ）に示すように、中央ＣＣに照射する光の光量を０％、中央ＣＣの上下左右に隣接する上中央ＣＵ、下中央ＣＤ、左中央ＬＣ、右中央ＲＣに照射する光の光量を５０％、中央ＣＣに斜めに隣接する左上ＬＵ、右上ＲＵ、左下ＬＤ、右下ＲＤに照射する光の光量を９０％とするパターンである。
【００５９】
また視線方向が「左中央」である場合の照射パターンは、図８（Ｂ）に示すように、左中央ＬＣに照射する光の光量を０％、左中央ＬＣの上下及び右に隣接する左上ＬＵ、左下ＬＤ、中央ＣＣに照射する光の光量を５０％、左中央ＬＣに斜めに隣接する上中央ＣＵ、下中央ＣＤに照射する光の光量を７５％、それ以外の右上ＲＵ、右中央ＲＣ、右下ＲＤに照射する光の光量を１００％とするパターンである。
【００６０】
さらに視線方向が「左上」である場合の照射パターンは、図８（Ｃ）に示すように、左上ＬＵに照射する光の光量を０％、左上ＬＵの右及び下に隣接する上中央ＣＵ、左中央ＬＣに照射する光の光量を５０％、左上ＬＵに斜めに隣接する中央ＣＣに照射する光の光量を７５％、それ以外の右上ＲＵ、右中央ＲＣ、右下ＲＤ、下中央ＣＤ、左下ＬＤに照射する光の光量を１００％とするパターンである。
【００６１】
なお、視線方向が「上中央」、「下中央」及び「右中央」である場合の照射パターンについては、視線方向が「左中央」の場合と同様に、視線方向の領域に照射する光の光量を０％、視線方向の領域に対して上下左右に隣接する領域に照射する光の光量を５０％、視線方向の領域に対して斜めに隣接する領域に照射する光の光量を７５％、これら以外の領域に照射する光の光量を１００％とするパターンである。
【００６２】
また視線方向が「左下」、「右上」及び「右下」である場合の照射パターンについては、視線方向が「左上」の場合と同様に、視線方向の領域に照射する光の光量を０％、視線方向の領域に対して上下左右に隣接する領域に照射する光の光量を５０％、視線方向の領域に対して斜めに隣接する領域に照射する光の光量を７５％、これら以外の領域に照射する光の光量を１００％とするパターンである。
【００６３】
光源制御部３２は、視線データに示された視線方向に応じた照射パターンデータ３３Ｂを記憶部３３から読み出すと、読み出した照射パターンに応じた光量でＬＥＤ１７Ａ〜１７Ｒからそれぞれの領域に光を出射させる制御信号をアンプ２３Ａ〜２３Ｒに送出する。
【００６４】
ところで光源制御部３２は、視線が移動していることを示す視線データが視線検出部３１から供給された場合、すべてのＬＥＤ１７Ａ〜１７Ｒから光を出射しないよう、光量が０％となる制御信号をアンプ２３Ａ〜２３Ｒに送出する。
【００６５】
これにより光照射装置１は、装着者の視線方向に対応する領域に照射する光の光量を制限し、該視線方向に対応する領域から遠ざかるにつれて光量が大きくなるようにした光を装着者の眼に照射することができる。
【００６６】
視線検出部３１及び光源制御部３２は、照射開始時刻になった時点から照射終了時刻になるまでの間、上述した視線検出及び照射制御を繰り返し行い、装着者の視線方向に応じて光量を変化させた光をＬＥＤ１７Ａ〜１７Ｒから出射させる。
【００６７】
［１−４．光照射処理手順］
次に上述した光照射処理の手順について図９に示すフローチャートを用いて説明する。マイクロコントローラ２１は、ルーチンＲＴ１の開始ステップから入って次のステップＳＰ１に移り、操作入力部２４を介して照射開始時刻及び照射終了時刻を取得して照射時刻データとして記憶部３３に記憶し、次のステップＳＰ２に移る。
【００６８】
ステップＳＰ２においてマイクロコントローラ２１は、記憶部３３から照射時刻データを読み出し、照射時刻データに示された照射開始時刻になったか否かを判断し、照射開始時刻になるまでこのステップＳＰ２を繰り返す。
【００６９】
ステップＳＰ２で肯定結果が得られる、すなわち照射開始時刻になった時点で、マイクロコントローラ２１はステップＳＰ３に移り、アンプ２２Ａ及び２２Ｂを介して電極１４と基準電極１６との左電位差、及び電極１５と基準電極１６との右電位差を取得する。
【００７０】
そしてマイクロコントローラ２１は、左電位差及び右電位差に基づいて装着者の視線方向を検出し、次のステップＳＰ４に移る。ステップＳＰ４においてマイクロコントローラ２１は、検出した視線方向に応じた照射パターンを記憶部３３から読み出し、該照射パターンに応じた光量の光をＬＥＤ１７Ａ〜１７Ｒから出射させ、次のステップＳＰ５に移る。
【００７１】
ステップＳＰ５においてマイクロコントローラ２１は、照射時刻データに示された照射終了時刻になったか否かを判断し、否定結果が得られると、ステップＳＰ３に戻って肯定結果が得られるまでステップＳＰ３〜ＳＰ５を繰り返す。
【００７２】
ステップＳＰ５において肯定結果が得られると、マイクロコントローラ２１は次のステップに移って処理を終了する。
【００７３】
［１−５．動作及び効果］
以上の構成において光照射装置１は、装着者の眼周辺における上下方向及び左右方向に異なる位置である左眼の左上及び右眼の右下に配される電極１４及び１５、及び耳の付け根に配される基準電極１６が設けられる。また光照射装置１は、装着者のほぼ視界全体ＳＡに対して光を照射するＬＥＤ１７Ａ〜１７Ｒが設けられる。
【００７４】
そして光照射装置１は、電極１４と基準電極１６との左電位差、及び電極１５と基準電極１６との右電位差から装着者の視線方向を検出し、該視線方向に対する光量を制限するようにＬＥＤ１７Ａ〜１７Ｒから出射する光の光量を制御するようにした。
【００７５】
これにより光照射装置１は、高照度の光をユーザの眼に照射しながらも視線方向に対する光量を制限するので、装着者の網膜における分解能が高い黄斑に高照度の光を照射せずに、網膜における他の領域に対して高照度の光を照射することができる。
【００７６】
従って光照射装置１は、生体リズムを調整するための十分な光を装着者の眼に照射しながらも眼に対する負担や健康を害する恐れを軽減することができる。
【００７７】
また光照射装置１は、左眼及び右眼の視野を分割した小領域に対して光をそれぞれ照射する複数の光源であるＬＥＤ１７Ａ〜１７Ｉ及び１７Ｊ〜１７Ｒを設けるようにした。
【００７８】
これにより光照射装置１は、視線方向に応じて細かく光量を制御することができるので、分解能が高い黄斑に対する照射光量を確実に制限しながらもそれ以外の領域に対しては高照度の光を簡易な構成で照射することができる。
【００７９】
また光照射装置１は、電極１４と基準電極１６との左電位差、及び電極１５と基準電極１６との右電位差が所定閾値以上であった場合、筋電位を測定している、すなわち視線が移動しているものと判断し、ＬＥＤ１７Ａ〜１７Ｒから光を出射しないようにした。
【００８０】
これにより光照射装置１は、装着者が視線を移動させている際に視線方向に対して高照度の光を照射することを確実に防止することができるので、よりいっそう安全性を向上することができる。
【００８１】
以上の構成によれば、装着者の視線方向を検出するための電極１４、１５及び該装着者の視界に対して光を照射するＬＥＤ１７Ａ〜１７Ｒが設けられ、電極１４、１５と基準電極１６との電位差から装着者の視線方向を検出し、該視線方向に対応する領域の光量を制限する。
【００８２】
これにより光照射装置１は、高照度の光をユーザの眼に照射しながらも視線方向に対する光量を制限するので、生体リズムを調整するための光を確実にユーザの眼に照射しながらも眼に対する負担や健康を害する恐れを軽減することができる。
【００８３】
＜２．他の実施の形態＞
上述の実施の形態においては、光照射部２の光源配置面１１ＤにＬＥＤ１７Ａ〜１７Ｉ及びＬＥＤ１７Ｊ〜１７Ｒが設けられ、該ＬＥＤ１７Ａ〜１７Ｒから出射された光が拡散板１３に拡散されて装着者の目に対して光を照射するようにした場合についてのべた。本発明はこれに限らない。
【００８４】
一例として図１との対応部分に同一符号を付した図１０に示すように、光照射装置１００は、光照射装置１における反射板１２及び拡散板１３と同じ位置に透明板１１２及び拡散板１１３が設けられる。
【００８５】
また光照射装置１００は、透明板１１２における拡散板１１３とは反対側の面に、左右それぞれに９つのＬＥＤ１１７Ａ〜１１７Ｉ及びＬＥＤ１１７Ｊ〜１１７Ｒが取り付けられる。
【００８６】
ＬＥＤ１１７Ａ〜１１７Ｉは、光照射装置１のＬＥＤ１７Ａ〜１７Ｉと同様に、拡散板１１３における領域ＬＬＵ、ＬＣＵ、ＬＲＵ、ＬＬＣ、ＬＣＣ、ＬＲＣ、ＬＬＤ、ＬＣＤ及びＬＲＤにそれぞれ光を照射し得るようになされている。
【００８７】
またＬＥＤ１１７Ｊ〜１１７Ｒは、光照射装置１のＬＥＤ１７Ｊ〜１７Ｒと同様に、拡散板１１３における領域ＲＬＵ、ＲＣＵ、ＲＲＵ、ＲＬＣ、ＲＣＣ、ＲＲＣ、ＲＬＤ、ＲＣＤ及びＲＲＤをそれぞれ照射し得るようになされている。
【００８８】
このようにして光照射装置１００は、ＬＥＤ１１７Ａ〜１１７Ｒから出射した光が拡散板１１３に拡散されて装着者の眼に対して光を照射するようになされている。
【００８９】
また別例として図１との対応部分に同一符号を付した図１１に示すように、光照射装置２００は、光照射装置１における反射板１２及び拡散板１３に代えて高屈折率材２１２Ａ、低屈折率材２１２Ｂ及び拡散板２１３が設けられる。
【００９０】
高屈折率材２１２Ａと低屈折率材２１２Ｂとの間はそれぞれの面で光が反射を繰り返しながら進行していく導波路として機能する。また低屈折率材２１２Ｂには微小な傷が多数つけられており、低屈折率材２１２Ｂにおける傷に到達した光は該傷から拡散板２１３へと導かれる。
【００９１】
光照射装置２００は、高屈折率材２１２Ａと低屈折率材２１２Ｂとの間の左上側及び右上側にそれぞれＬＥＤ２１７Ａ〜２１７Ｃ及びＬＥＤ２１７Ｊ〜２１７Ｌが設けられる。また高屈折率材２１２Ａと低屈折率材２１２Ｂとの間の左下側及び右下側にそれぞれＬＥＤ２１７Ｄ〜２１７Ｉ及びＬＥＤ２１７Ｍ〜２１７Ｒが設けられる。
【００９２】
ＬＥＤ２１７Ａ〜２１７Ｉは、光照射装置１のＬＥＤ１７Ａ〜１７Ｉと同様に、拡散板２１３における領域ＬＬＵ、ＬＣＵ、ＬＲＵ、ＬＬＣ、ＬＣＣ、ＬＲＣ、ＬＬＤ、ＬＣＤ及びＬＲＤにそれぞれ光を照射し得るようになされている。
【００９３】
またＬＥＤ２１７Ｊ〜２１７Ｒは、光照射装置１のＬＥＤ１７Ｊ〜１７Ｒと同様に、拡散板２１３における領域ＲＬＵ、ＲＣＵ、ＲＲＵ、ＲＬＣ、ＲＣＣ、ＲＲＣ、ＲＬＤ、ＲＣＤ及びＲＲＤにそれぞれ光を照射し得るようになされている。
【００９４】
このようにして光照射装置２００は、該ＬＥＤ２１７Ａ〜２１７Ｒが照射した光が高屈折率材２１２Ａと低屈折率材２１２Ｂとの間の導波路を経由して拡散板２１３に拡散されて装着者の目に対して光を照射するようになされている。
【００９５】
上述した実施の形態においては、照射領域ＩＡを９つの小領域である領域ＬＵ、ＣＵ、ＲＵ、ＬＣ、ＣＣ、ＲＣ、ＬＤ、ＣＤ及びＲＤに分割し、それぞれの小領域に対して光を照射するＬＥＤ１７Ａ〜１７Ｉ及び１７Ｊ〜１７Ｒが設けられるようにした場合について述べた。
【００９６】
本発明はこれに限らず、照射領域ＩＡの分割数はいくつでもよく、また分割された小領域を照射する光源の数もいくつでもよい。すなわち、より細かく照射領域ＩＡを分割し、分割された領域をそれぞれ照射する光源を設けるようにすれば、より細かく装着者の視線方向に合わせて光量を制御することができる。
【００９７】
上述した実施の形態においては、視線方向を９方向のいずれかから検出するようにした場合について述べた。本発明はこれに限らず、視線方向を検出できるのであればその方向の数は問わない。
【００９８】
上述した実施の形態においては、左電位差及び右電位差の符号及び大きさと、９方向の視線方向での符号及び大きさを示したテーブルとを比較して視線方向を検出するようにした場合について述べた。本発明はこれに限らず、左電位差及び右電位差の符号及び大きさから視線方向を検出できるのであればその他の方法を用いて検出するようにしてもよい。
【００９９】
上述した実施の形態においては、光照射装置１が装着者に装着された際、該装着者の左眼の左上及び右眼の右下に電極１４及び１５が当接されるように、当接面１１Ａの左上及び右下に電極１４及び１５を設けるようにした場合について述べた。
【０１００】
本発明はこれに限らず、上下方向及び左右方向の視線が検出できるように、上下方向及び左右方向がそれぞれ異なる位置に電極１４及び１５が配置できるのであれば、その位置は問わない。
【０１０１】
上述した実施の形態においては、照射開始時刻及び照射終了時刻を操作入力部２４を介して入力させるようにした場合について述べた。本発明はこれに限らず、例えばジェット機内で使用される場合、到着先の現地時刻に合わせて時差ぼけを解消するように設定された照射開始時刻及び照射終了時刻をジェット機から光照射装置１に所定の通信手段により送信することにより入力させてもよい。
【０１０２】
さらに上述した実施の形態においては、マイクロコントローラ２１がＲＯＭに格納されているプログラムに従い、上述した光照射処理を行うようにした場合について述べた。本発明はこれに限らず、記憶媒体からインストールしたり、インターネットからダウンロードしたプログラムに従って上述した光照射処理を行うようにしても良い。またその他種々のルートによってインストールしたプログラムに従って上述した光照射処理を行うようにしても良い。
【０１０３】
さらに上述した実施の形態においては、光源部としてＬＥＤ１７Ａ〜１７Ｒ、視線検出部として視線検出部３１、光源制御部として光源制御部３２が設けられるようにした場合について述べた。本発明はこれに限らず、その他種々の構成でなる光源、視線検出部、光源制御部を設けるようにしても良い。
【産業上の利用可能性】
【０１０４】
本発明は、時差ぼけを調整するなどの光治療に用いられる場合に適応することができる。
【符号の説明】
【０１０５】
１、１００、２００……光照射装置、２……光照射部、３Ａ、３Ｂ……支持部、１１……フレーム、１１Ａ……当接部、１１Ｂ……係止部、１１Ｃ……当接面、１１Ｄ……光源配置面、１２……反射板、１３……拡散板、１４……電極、１５……電極、１６……基準電極、１７Ａ〜１７Ｒ、１１７Ａ〜１１７Ｒ、２１７Ａ〜２１７Ｒ……ＬＥＤ、２１……マイクロコントローラ、２２Ａ〜２２Ｂ、２３Ａ〜２３Ｒ……アンプ、３１……視線検出部、３２……光源制御部、３３……記憶部、３４……時計部。
【図１】
2011215306.tif 000003
【図２】
2011215306.tif 000004
【図３】
2011215306.tif 000005
【図４】
2011215306.tif 000006
【図５】
2011215306.tif 000007
【図６】
2011215306.tif 000008
【図７】
2011215306.tif 000009
【図８】
2011215306.tif 000010
【図９】
2011215306.tif 000011
【図１０】
2011215306.tif 000012
【図１１】
2011215306.tif 000013